(57)【要約】【課題】複数系統のステレオ音声入力端子やステレオ音声出力端子を有効に活用して、マルチチャンネルの音声信号を扱えるようにする。【解決手段】ステレオ音声出力端子から出力する音声信号の切り換えを行う出力切換スイッチ４１，４３，４６を設ける。制御部６０は、マルチチャンネルの音声信号の出力を行うとき、出力切換スイッチ４１，４３，４６を制御して、スピーカ５２l，５２rから視聴者に対して前方の左右側の音声を出力させる。また、複数系統のステレオ音声出力端子Ｔoa1，Ｔoa2から、視聴者に対して後方の左右側の音声信号や正面側の音声信号および低域出力用の音声信号を出力させる。マルチチャンネル音声信号のチャンネル毎に音声出力端子を設けなくとも複数系統のステレオ音声出力端子を利用して、マルチチャンネルで音声再生を行える。【選択図】        図２
2009088938.tif 000002
【特許請求の範囲】
【請求項１】
複数系統のステレオ音声入力端子および／またはステレオ音声出力端子を備えた音声信号処理装置において、
前記ステレオ音声入力端子から入力された音声信号の選択および／または前記ステレオ音声出力端子から出力する音声信号の切り換えを行う切換スイッチと、
前記切換スイッチを制御して、マルチチャンネルの音声信号の入力を行うとき、前記複数系統のステレオ音声入力端子から入力された音声信号をマルチチャンネルの音声信号として選択し、マルチチャンネルの音声信号の出力を行うとき、前記複数系統のステレオ音声出力端子を用いて各チャンネルの音声信号を出力させる制御部を有する
ことを特徴とする音声信号処理装置。
【請求項２】
前記複数系統のステレオ音声出力端子は、記録用の音声出力端子やライン出力用の音声出力端子である
ことを特徴とする請求項１記載の音声信号処理装置。
【請求項３】
前記複数系統のステレオ音声入力端子から入力された音声信号を所定フォーマットのマルチチャンネル音声信号に変換するフォーマット化処理部を有する
ことを特徴とする請求項１記載の音声信号処理装置。
【発明の詳細な説明】
【技術分野】
【０００１】
この発明は音声信号処理装置に関する。詳しくは、マルチチャンネル音声信号のチャンネル毎に音声出力端子や音声入力端子を設けなくとも、マルチチャンネルの音声信号を扱えるようにするものである。
【背景技術】
【０００２】
従来、ディジタル放送信号を受信して番組の映像信号や音声信号を出力する受信装置や、記録媒体を再生して記録されているコンテンツの映像信号や音声信号を出力する再生装置では、視聴者に対して前方の左右両側の音声信号でなく、後方の左右両側の音声信号や、正面および低域用の音声信号を含めたマルチチャンネル音声信号の処理を行い、臨場感の高い音響の提示が行われている。また、これらの装置では、入力されたマルチチャンネル音声信号を２チャンネル音声信号（ステレオ音声信号）にダウンミキシングして出力するダウンミキシング機能が設けられており、特許文献１の発明では、ダウンミキシングを行うときに用いるパラメータの設定操作を簡略化し、且つ使い勝手を向上させることが開示されている。
【０００３】
また、映像信号や音声信号のディジタル化に伴い、受信装置や再生装置等ではアナログの映像信号や音声信号の入出力端子だけでなく、ディジタルの映像信号や音声信号の入出力端子も設けられている。
【０００４】
【特許文献１】特開２００４−２４１８５３号公報
【発明の開示】
【発明が解決しようとする課題】
【０００５】
ところで、アナログ音声信号の入力や出力を行う場合、チャンネル毎に音声入力端子や音声出力端子を独立して設けるものとすると、例えば音声信号がマルチチャンネルであるとき端子数が多くなってしまい装置の小型化が困難となってしまう。
【０００６】
また、マルチチャンネル音声信号を２チャンネル音声信号にダウンミキシングして出力すれば、マルチチャンネルのチャンネル数だけ音声出力端子を設ける必要がなく小型化が容易となる。しかし、ダウンミキシングが行われるので、マルチチャンネル音声信号をチャンネル毎に独立して出力する場合に比べて、クオリティが低下したものとなってしまう。例えば、テレビジョン装置からダウンミキシング後の２チャンネル音声信号を出力するとき、このテレビジョン装置にアンプにつなげ、DolbyProLogic2などで擬似５．１チャンネルサラウンドを生成すると、テレビジョン装置でダウンミックスした音声信号を用いることから、オリジナルのコンテンツのクオリティを十分発揮することはできない。また、アンプを経由することによる画音のズレを解消する必要がある。
【０００７】
そこで、この発明では、複数系統のステレオ音声入力端子やステレオ音声出力端子を有効に活用して、マルチチャンネルの音声信号を扱えるようにした音声信号処理装置を提供するものである。
【課題を解決するための手段】
【０００８】
この発明に係る音声信号処理装置は、複数系統のステレオ音声入力端子および／またはステレオ音声出力端子を備えた音声信号処理装置において、前記ステレオ音声入力端子から入力された音声信号の選択および／または前記ステレオ音声出力端子から出力する音声信号の切り換えを行う切換スイッチと、前記切換スイッチを制御して、マルチチャンネルの音声信号の入力を行うとき、前記複数系統のステレオ音声入力端子から入力された音声信号をマルチチャンネルの音声信号として選択し、マルチチャンネルの音声信号の出力を行うとき、前記複数系統のステレオ音声出力端子を用いて各チャンネルの音声信号を出力させる制御部を有するものである。
【発明の効果】
【０００９】
この発明によれば、複数系統のステレオ音声入力端子を用いてマルチチャンネルの音声信号の入力や、複数系統のステレオ音声出力端子を用いてマルチチャンネルの音声信号の出力が行われる。このため、マルチチャンネル音声信号のチャンネル毎に音声出力端子や音声入力端子を設けなくともマルチチャンネルで音声の入力や出力を行うことができる。
【発明を実施するための最良の形態】
【００１０】
以下、図を参照しながら、この発明の実施の一形態について説明する。図１は、音声信号処理装置の端子配置、図２は、音声信号処理装置の構成を例示したものであり、例えば音声信号処理装置がテレビジョン装置に用いられた場合を示している。
【００１１】
音声信号処理装置１０には、図１に示すようにアンテナ端子Ｔant、ディジタル信号入力用のＨＤＭＩ(High Definition Multimedia Interface)端子Ｔhd1，Ｔhd2が設けられており。さらに、アナログコンポジット映像信号用の映像入力端子Ｔiv1，Ｔiv2およびステレオ音声入力端子Ｔia1，Ｔia2、アナログコンポーネント映像信号用の映像入力端子Ｔiv3およびステレオ音声入力端子Ｔia3、記録用の映像出力端子Ｔovとステレオ音声出力端子Ｔoa1、さらにライン出力のステレオ音声出力端子Ｔoa2が設けられている。
【００１２】
図２において、アンテナ端子Ｔantは、チューナ／復調部１１と接続されている。チューナ／復調部１１は、アンテナ端子Ｔantに入力されたＲＦ信号から所望のサービスを選局する処理や、選局を行って得られた受信信号の復調処理例えばＯＦＤＭ復調処理，ＱＰＳＫ復調処理あるいはＱＡＭ復調処理等を行う。さらに、復調処理を行うことにより得られたトランスポートストリームＴＳの誤り訂正処理やデスクランブル処理を行ってデマルチプレクサ１２に供給する。
【００１３】
デマルチプレクサ１２は、トランスポートストリームＴＳから、時分割多重されている画像信号や音声信号等を分離して、音声信号ＤＴaをデコーダ１３に供給する。
【００１４】
デコーダ１３は、デマルチプレクサ１２から供給された音声信号ＤＴaの復号を行い、得られた２チャンネル音声信号ＤＡstをＡ／Ｄ変換部１４に供給する。なお、モノラル音声信号が得られたときは、左右の音声が等しい２チャンネル音声信号ＤＡstとしてＡ／Ｄ変換部１４に供給する。マルチチャンネル音声信号ＤＡmtが得られたときは、このマルチチャンネル音声信号ＤＡmtを入力切換スイッチ２４に供給する。なお、以下の説明では、マルチチャンネル音声信号が例えば視聴者に対して前方の左右両側の２チャンネルと後方の左右両側の２チャンネルと正面側のチャンネルである５チャンネルに、低域側を増強のための低音出力用のチャンネルを加えた５．１チャンネルの音声信号であるものとする。
【００１５】
Ｄ／Ａ変換部１４は、デコーダ１３から供給されたディジタルの２チャンネル音声信号ＤＡstをアナログの２チャンネル音声信号ＳＡstに変換して入力切換スイッチ２２に供給する。
【００１６】
ＨＤＭＩ端子Ｔhd1に供給されたＨＤＭＩ信号Ｄhd1は、レシーバ１５に供給される。また、ＨＤＭＩ端子Ｔhd2に供給されたＨＤＭＩ信号Ｄhd2は、レシーバ１６に供給される。
【００１７】
レシーバ１５は、ＨＤＭＩ信号Ｄhd1の復号処理を行い、得られたマルチチャンネル音声信号ＤＡhd1を入力切換スイッチ２１に供給する。レシーバ１６もレシーバ１５と同様に、ＨＤＭＩ信号Ｄhd2の復号処理を行い、得られたマルチチャンネル音声信号ＤＡhd2を入力切換スイッチ２１に供給する。
【００１８】
入力切換スイッチ２１は、マルチチャンネル音声信号ＤＡhd1あるいはマルチチャンネル音声信号ＤＡhd2の選択を行い、選択された音声信号をマルチチャンネル音声信号ＤＡhdとして入力切換スイッチ２４に供給する。
【００１９】
ステレオ音声入力端子Ｔia1に供給されたアナログの２チャンネル音声信号ＳＡa1は、入力切換スイッチ２２に供給される。同様に、ステレオ音声入力端子Ｔia2に供給されたアナログの２チャンネル音声信号ＳＡa2や、ステレオ音声入力端子Ｔia3に供給されたアナログの２チャンネル音声信号ＳＡa3も入力切換スイッチ２２に供給される。
【００２０】
入力切換スイッチ２２は、Ｄ／Ａ変換部１４から供給された２チャンネル音声信号ＳＡst、ステレオ音声入力端子Ｔia1に供給された２チャンネル音声信号ＳＡa1、ステレオ音声入力端子Ｔia2に供給された２チャンネル音声信号ＳＡa2、あるいはステレオ音声入力端子Ｔia3に供給された２チャンネル音声信号ＳＡa3の選択を行い、選択した音声信号を２チャンネル音声信号ＳＡseとしてＡ／Ｄ変換部２３と出力切換スイッチ４６に供給する。
【００２１】
Ａ／Ｄ変換部２３は、アナログの２チャンネル音声信号ＳＡseをディジタルの２チャンネル音声信号ＤＡseに変換して入力切換スイッチ２４に供給する。
【００２２】
入力切換スイッチ２４は、デコーダ１３から供給されたマルチチャンネル音声信号ＤＡmt、入力切換スイッチ２１から供給されたマルチチャンネル音声信号ＤＡhd、あるいはＡ／Ｄ変換部２３から供給された２チャンネル音声信号ＤＡseの選択を行い、選択した音声信号を音声信号ＤＡsmとして信号処理部３１に供給する。
【００２３】
信号処理部３１は、ダウンミキシングやチャンネル拡張，サラウンド付加処理等を行うものである。信号処理部３１のチャンネル拡張部３１１は、音声信号ＤＡsmが２チャンネル音声信号であるとき、DolbyProLogic2(商標)やInterVideo社のチャンネル拡張技術（ICE技術）等を行いて、音声信号ＤＡsmを５チャンネルの音声信号ＤＡm5に変換してサラウンド処理部３１２に供給する。例えば、チャンネル拡張を行い、視聴者に対して前方の左右両側の２チャンネルと後方の左右両側の２チャンネルと正面側のチャンネルである５チャンネルの音声信号ＤＡm5に変換して、この音声信号ＤＡm5をサラウンド処理部３１２に供給する。
【００２４】
また、チャンネル拡張部３１１は、音声信号ＤＡsmがマルチチャンネル音声信号であるとき、視聴者に対して前方の左右両側の２チャンネルと後方の左右両側の２チャンネルと正面のチャンネルである５チャンネルの音声信号を音声信号ＤＡm5としてサラウンド処理部３１２に供給する。
【００２５】
サラウンド処理部３１２は、必要に応じてサラウンド付加処理を行う。例えば、TruSurroundやS-Force(商標)等を用いて、より臨場感のある音声再生を行うことができるように音声信号ＤＡm5に対してサラウンド付加処理を行い、処理後の音声信号ＤＡmq5をダウンミキシング部３１３に供給する。また、処理後の音声信号ＤＡmq5のうち、視聴者に対して前方の左右両側の音声信号ＤＡf-l，ＤＡf-rを出力切換スイッチ４１、後方の左右両側の音声信号ＤＡs-l，ＤＡs-rを出力切換スイッチ４３、正面側の音声信号ＤＡcをＤ／Ａ変換部４５に供給する。
【００２６】
ダウンミキシング部３１３は、サラウンド処理部３１２から供給された５チャンネルの音声信号ＤＡmq5のダウンミキシングを行い、２チャンネル音声信号ＤＡsqoを生成して出力切換スイッチ４１に供給する。
【００２７】
ダウンミキシング部３１４は、音声信号ＤＡsmがマルチチャンネル音声信号であるとき、低音出力用のチャンネルを除く５チャンネルの音声信号を用いてダウンミキシングを行い、２チャンネル音声信号ＤＡsdoを生成して出力切換スイッチ４３に供給する。また、音声信号ＤＡsmが２チャンネル音声信号であるときはスルーして、この音声信号ＤＡsmを２チャンネル音声信号ＤＡsdoとして出力切換スイッチ４３に供給する。
【００２８】
また、信号処理部３１は、音声信号ＤＡsmがマルチチャンネル信号であるとき、低音出力用のチャンネルの音声信号ＤＡwをＤ／Ａ変換部４５に供給する。
【００２９】
出力切換スイッチ４１は、ダウンミキシング部３１３から供給された２チャンネル音声信号ＤＡsqoあるいはサラウンド処理部３１２から供給された視聴者に対して前方の左右両側の音声信号ＤＡf-l，ＤＡf-rを選択して、音声出力信号ＤＡoutとしてＤ／Ａ変換部４２に供給する。
【００３０】
Ｄ／Ａ変換部４２は出力切換スイッチ４１から供給されたディジタルの音声出力信号ＤＡoutをアナログの音声出力信号ＳＡoutに変換して、左側の音声出力信号ＳＡout-lを、アンプ５１Lを介してスピーカ５２Lに供給する。また、右側の音声出力信号ＳＡout-rを、アンプ５１Rを介してスピーカ５２Rに供給する。
【００３１】
出力切換スイッチ４３は、サラウンド処理部３１２から供給された視聴者に対して後方の左右両側の音声信号ＤＡs-l，ＤＡs-rあるいはダウンミキシング部３１４から供給された２チャンネル音声信号ＤＡsdoを選択して、選択した音声信号を音声出力信号ＤＡout2としてＤ／Ａ変換部４４に供給する。
【００３２】
Ｄ／Ａ変換部４４は、出力切換スイッチ４３から供給されたディジタルの音声出力信号ＤＡout2をアナログの音声出力信号ＳＡout2に変換して、記録用のステレオ音声出力端子Ｔoa1に供給する。
【００３３】
Ｄ／Ａ変換部４５は、低音出力用のチャンネルの音声信号ＤＡwとサラウンド処理部３１２から供給された正面側の音声信号ＤＡcをアナログの音声信号ＳＡw，ＳＡcに変換して、出力切換スイッチ４６に供給する。
【００３４】
出力切換スイッチ４６は、Ｄ／Ａ変換部４５から供給された正面側の音声信号ＳＡcと低音出力用のチャンネルの音声信号ＳＡw、あるいは入力切換スイッチ２２から供給された２チャンネル音声信号ＳＡseを選択して、選択した音声信号を音声出力信号ＳＡout3としてライン出力用のステレオ音声出力端子Ｔoa2に供給する。
【００３５】
制御部６０は、チューナ／復調部１１における選局制御や入力切換スイッチ２１，２２，２３、出力切換スイッチ４１，４３，４６の信号選択制御等を行い、出力する音声の切り換え制御を行う。
【００３６】
次に、音声信号処理装置１０の動作について、テレビジョン放送を受信して２チャンネル音声信号ＤＡstが得られる場合、あるいはステレオ音声入力端子Ｔia1，Ｔia2，Ｔia3にアナログの２チャンネル音声信号ＳＡa1，ＳＡa2,ＳＡa3が供給される場合について説明する。
【００３７】
２チャンネル音声信号に基づいて２チャンネルで音声再生を行う場合、制御部６０は、入力切換スイッチ２２，入力切換スイッチ２４を制御して、音声出力に用いる２チャンネル音声信号を信号処理部３１に供給させる。例えば、制御部６０は、放送番組の音声を出力するとき入力切換スイッチ２２を制御して２チャンネル音声信号ＳＡstを選択させる。さらに、入力切換スイッチ２４を制御して２チャンネル音声信号ＤＡseを選択させて、放送番組の音声信号を信号処理部３１に供給させる。
【００３８】
また、制御部６０は、出力切換スイッチ４１を制御して、ダウンミキシング部３１３から供給された２チャンネル音声信号ＤＡsqoを選択してＤ／Ａ変換部４２に供給させる。
【００３９】
このように入力切換スイッチ２２，２４と出力切換スイッチ４１を制御すると、音声出力に用いる２チャンネル音声信号が信号処理部３１でサラウンド処理されてＤ／Ａ変換部４２に供給されることになり、スピーカ５２L，５２Rを用いて、２チャンネルで音声再生を行うことができる。
【００４０】
さらに、制御部６０は、出力切換スイッチ４３を制御してダウンミキシング部３１４から供給された２チャンネル音声信号ＤＡsdoを選択させることで、記録用のステレオ音声出力端子Ｔoa1から、サラウンド処理前の２チャンネル音声信号を出力することができる。また、制御部６０は、出力切換スイッチ４６を制御して入力切換スイッチ２２から供給された２チャンネル音声信号ＳＡseを選択させることで、ライン出力用のステレオ音声出力端子Ｔoa2からサラウンド処理前の２チャンネル音声信号を出力することができる。
【００４１】
次に、２チャンネル音声信号に基づいてマルチチャンネルで音声再生を行う場合について説明する。制御部６０は、出力切換スイッチ４１を制御して、サラウンド処理部３１２から供給された視聴者に対して前方の左右両側の音声信号ＤＡf-l，ＤＡf-rを選択させる。また、制御部６０は、出力切換スイッチ４３を制御してサラウンド処理部３１２から供給された視聴者に対して後方の左右両側の音声信号ＤＡs-l，ＤＡs-rを選択させる。さらに制御部６０は、出力切換スイッチ４６を制御して、Ｄ／Ａ変換部４５から供給された正面側の音声信号ＳＡcと低音出力用のチャンネルの音声信号ＳＡwを選択させる。
【００４２】
このように出力切換スイッチ４１，４３，４６を制御すると、スピーカ５２Lから前方左側の音声、スピーカ５２Rから前方右側の音声が出力される。さらに、記録用のステレオ音声出力端子Ｔoa1から後方の左右側の音声信号ＳＡs-l，ＳＡs-r、ライン出力用のステレオ音声出力端子Ｔoa2から正面側の音声信号ＳＡcと低音出力用の音声信号ＳＡwが出力されることになる。
【００４３】
したがって、マルチチャンネル音声信号のチャンネル毎に音声出力端子を独立して設けなくとも、既に設けられているステレオ音声出力端子を流用して、２チャンネルの音声をマルチチャンネルで再生することが可能となる。
【００４４】
次に、テレビジョン放送を受信してマルチチャンネル音声信号ＤＡmtが得られた場合、あるいはＨＤＭＩ信号が供給されてレシーバ１５（１６）からマルチチャンネル音声信号ＤＡhd1（ＤＡhd2）が得られる場合について説明する。
【００４５】
マルチチャンネル音声信号に基づいて２チャンネルで音声再生を行う場合、制御部６０は、入力切換スイッチ２１，入力切換スイッチ２４を制御して、音声出力に用いるマルチチャンネル音声信号を信号処理部３１に供給させる。例えば、制御部６０は、レシーバ１５から出力されるマルチチャンネル音声信号に基づいて音声出力を行う場合、入力切換スイッチ２１を制御してマルチチャンネル音声信号ＤＡhd1を選択させる。さらに、入力切換スイッチ２４を制御してマルチチャンネル音声信号ＤＡhdを選択させることで、レシーバ１５から出力されるマルチチャンネル音声信号を信号処理部３１に供給させる。
【００４６】
また、制御部６０は、出力切換スイッチ４１を制御して、ダウンミキシング部３１３から供給された２チャンネル音声信号ＤＡsqoを選択してＤ／Ａ変換部４２に供給させる。
【００４７】
このように入力切換スイッチ２１，２４と出力切換スイッチ４１を制御すると、音声出力に用いるマルチチャンネル音声信号がダウンミキシングされてＤ／Ａ変換部４２に供給されることになり、スピーカ５２L，５２Rを用いて擬似的にマルチチャンネルで音声再生を行うことができる。
【００４８】
さらに、制御部６０は、出力切換スイッチ４３を制御してダウンミキシング部３１４から供給された２チャンネル音声信号ＤＡsdoを選択させることで、記録用のステレオ音声出力端子Ｔoa1から、ダウンミキシング後の２チャンネル音声信号を出力することができる。
【００４９】
次に、マルチチャンネル音声信号に基づいてマルチチャンネルで音声再生する場合、制御部６０は、出力切換スイッチ４１を制御して、サラウンド処理部３１２から供給された視聴者に対して前方の左右両側の音声信号ＤＡf-l，ＤＡf-rを選択させる。また、制御部６０は、出力切換スイッチ４３を制御してサラウンド処理部３１２から供給された視聴者に対して後方の左右両側の音声信号ＤＡs-l，ＤＡs-rを選択させる。さらに制御部６０は、出力切換スイッチ４６を制御して、Ｄ／Ａ変換部４５から供給された正面側の音声信号ＳＡcと低音出力用の音声信号ＳＡwを選択させる。
【００５０】
このように出力切換スイッチ４１，４３，４６を制御すると、スピーカ５２Lから前方左側の音声、スピーカ５２Rから前方右側の音声が出力される。さらに、記録用のステレオ音声出力端子Ｔoa1から後方の左右側の音声信号ＳＡs-l，ＳＡs-r、ライン出力用のステレオ音声出力端子Ｔoa2から正面側の音声信号ＳＡcと低音出力用の音声信号ＳＡwが出力されることになる。
【００５１】
したがって、マルチチャンネル音声信号のチャンネル毎に音声出力端子を独立して設けなくとも、既に設けられているステレオ音声出力端子を流用して、マルチチャンネルで音声再生を行うことができる。このため、クオリティを低下させることなく音声再生を行うことができる。
【００５２】
ところで、上述の実施の形態では、マルチチャンネルで音声出力を行う場合について説明したが、既に設けられているステレオ音声入力端子を流用することで、マルチチャンネル音声信号のチャンネル毎に音声入力端子を独立して設けなくとも、音声入力をマルチチャンネルで行うことができる。
【００５３】
図３は、音声信号処理装置の他の構成を示しており、マルチチャンネルで音声入力を行うことができるものである。なお、図３において、図２と対応する部分については同一符号を付し、詳細な説明は省略する。
【００５４】
音声信号処理装置１０ａのステレオ音声入力端子Ｔia1，Ｔia2，Ｔia3に供給されたマルチチャンネルであるチャンネル毎の音声信号は、Ａ／Ｄ変換部１８に供給される。
【００５５】
Ａ／Ｄ変換部１８は、各チャンネルの音声信号をディジタルの音声信号に変換して、フォーマット化処理部１９に供給する。
【００５６】
フォーマット化処理部１９は、Ａ／Ｄ変換部１８から供給された音声信号を用いて、デコーダ１３やレシーバ１５，１６から出力されるマルチチャンネル音声信号とフォーマットの等しい音声信号ＤＡmfを生成して入力切換スイッチ２４に供給する。なお、信号処理部３１にチャンネル毎の音声信号を供給してサラウンド処理やダウンミキシングを行うことができる場合、Ａ／Ｄ変換部１８で得られたディジタルの音声信号を入力切換スイッチ２４に供給するものとしてもよい。
【００５７】
このようにすれば、マルチチャンネル音声信号のチャンネル毎に音声入力端子を独立して設けなくとも、既に設けられているステレオ音声入力端子を流用するものとして、制御部６０は、フォーマット化処理部１９から供給されたマルチチャンネル音声信号ＤＡmfを入力切換スイッチ２４で選択させることで、入力されたマルチチャンネル音声信号のサラウンド処理やダウンミキシング等を行うことができる。また、入力されたマルチチャンネル音声信号に基づき、ステレオあるいはマルチチャンネルでサラウンド処理後の音声再生を行うことができる。
【００５８】
以上のように、既に設けられているステレオ音声出力端子やステレオ音声入力端子を流用してマルチチャンネル音声信号の入力や出力を行うことができるので、音声信号処理装置の小型化が容易となる。また、マルチチャンネル音声信号をダウンミキシングすることなく出力できるので、クオリティの低下を招くことなく音声の提示を行える。さらに、マルチチャンネル音声信号を入力してマルチチャンネルで音声再生を行えるので、オリジナルのコンテンツのクオリティを十分発揮することができる。また、ディジタル機器の普及に伴いアナログ音声信号のステレオ音声入力端子やステレオ音声出力端子の利用の機会が減少しても、これらの端子を有効に活用できるようになる。
【図面の簡単な説明】
【００５９】
【図１】音声信号処理装置の端子配置を示す図である。
【図２】音声信号処理装置の構成を示す図である。
【図３】音声信号処理装置の他の構成を示す図である。
【符号の説明】
【００６０】
１０，１０a・・・音声信号処理装置、１１・・・チューナ／復調部、１２・・・デマルチプレクサ、１３・・・デコーダ、１４，４２，４４，４５・・・Ｄ／Ａ変換部、１５，１６・・・レシーバ、１８，２３・・・Ａ／Ｄ変換部、１９・・・フォーマット化処理部、２１，２２，２４・・・入力切換スイッチ、４１，４３，４６・・・出力切換スイッチ、３１・・・信号処理部、６０・・・制御部、５１L，５１R・・・アンプ、５２L，５２R・・・スピーカ、３１１・・・チャンネル拡張部、３１２・・・サラウンド処理部、３１３，３１４・・・ダウンミキシング部
【図１】
2009088938.tif 000003
【図２】
2009088938.tif 000004
【図３】
2009088938.tif 000005